(57)【特許請求の範囲】
【請求項１】
液体を収納した詰替用液体袋と、該詰替用液体袋の上部に装着される液体の吸引・注出手段であるポンプ体と、該ポンプ体の吸引部に連通状態で取り付けられると共に前記詰替用液体袋の内部に挿通配設される吸引管と、を有して成り、
前記ポンプ体の動作によって前記詰替用液体袋内の液体を吸引・注出するに従って、前記詰替用液体袋内の負圧化に伴って収縮（縮小）していく構成（但し、負圧化に伴って底面が高さ方向に上昇して収縮するボトル構成は除く。）のエアレスタイプの液体取出装置において、
前記吸引管は、その先端部及び全体が前記詰替用液体袋の略中央部より上方に配設されており、
前記詰替用液体袋は、少なくとも対向する両側の２辺にヒートシールによる封止部が設けられた合成樹脂製の袋体であり、
更に、前記詰替用液体袋は、上部の１辺にヒートシールによる上封止部が設けられ、該上封止部に前記ポンプ体が直接取付けられるか、又は該上封止部に取り付けられたポンプ体被取付部を介して取付けられる構成（但し、上封止部に取付けられたポンプ体、又はポンプ体被取付部が、詰替用液体袋の内部側に押し込まれた状態となる構成を除く。）により該詰替用液体袋の最大充填量まで液体を充填可能であり、
且つ液体の吸引・注出に際して、該詰替用液体袋の水平方向断面形状が略正三角形・略正方形を含む略正多角形乃至略円形のいずれかの形状に近似するように、該詰替用液体袋の対向する２辺の封止部に対して外側方向から押圧し、この押圧を維持した状態で前記ポンプ体の動作を行うことにより、前記詰替用液体袋の対向する両側の２辺の封止部以外について押圧することなく、充填されている液体の略全量の吸引・注出が可能となる構成であること、
を特徴とする詰替用液体袋を用いた液体取出装置。
【請求項２】
前記２辺の封止部に対する外側方向からの押圧が、前記詰替用液体袋の少なくとも下部３分の１に対して行われる構成であることを特徴とする請求項１に記載の詰替用液体袋を用いた液体取出装置。
【請求項３】
前記詰替用液体袋は、下部にマチ付き底部を有する構成であることであることを特徴とする請求項１又は２に記載の詰替用液体袋を用いた液体取出装置。
【請求項４】
前記詰替用液体袋は、載置台に載置した状態、又はケース体に収納した状態で使用する構成であり、
該載置台又はケース体には、載置又は収納したときに前記詰替用液体袋の対向する２辺の封止部に対して外側方向から押圧する押圧部が設けられていること、
を特徴とする請求項１〜３のいずれかに記載の詰替用液体袋を用いた液体取出装置。
【請求項５】
液体を収納した詰替用液体袋と、該詰替用液体袋の上部に装着される液体の吸引・注出手段であるポンプ体と、該ポンプ体の吸引部に連通状態で取り付けられると共に前記詰替用液体袋の内部に挿通配設される吸引管と、を有し、
前記ポンプ体の動作によって前記詰替用液体袋内の液体を吸引・注出するに従って、前記詰替用液体袋内の負圧化に伴って収縮（縮小）していく（但し、負圧化に伴って底面が高さ方向に上昇して収縮していくボトル構成は除く。）、液体取出方法において、
前記吸引管は、その先端部及び全体が前記詰替用液体袋の略中央部より上方に配設されており、
前記詰替用液体袋は、少なくとも対向する両側の２辺にヒートシールによる封止部が設けられた合成樹脂製の袋体であり、
更に、前記詰替用液体袋は、上部の１辺にヒートシールによる上封止部が設けられ、該上封止部に前記ポンプ体が直接取付けられるか、又は該上封止部に取り付けられたポンプ体被取付部を介して取付けられる構成（但し、上封止部に取付けられたポンプ体、又はポンプ体被取付部が、詰替用液体袋の内部側に押し込まれた状態となる構成を除く。）により該詰替用液体袋の最大充填量まで液体を充填可能であり、
且つ液体の吸引・注出に際して、該詰替用液体袋の水平方向断面形状が略正三角形・略正方形を含む略正多角形乃至は略円形のいずれかの形状に近似するように、該詰替用液体袋の対向する２辺の封止部に対して外側方向から押圧し、この押圧を維持した状態で前記ポンプ体の動作を行うことにより、前記詰替用液体袋の対向する両側の２辺の封止部以外について押圧することなく、前記詰替用液体袋内の液体の吸引・注出が限界に達するまで該詰替用液体袋内の通液路を確保して液体残留を限りなく少なく抑制することを特徴とする詰替用液体袋を用いた液体取出方法。
【請求項６】
前記２辺の封止部に対する外側方向からの押圧が、前記詰替用液体袋の少なくとも下部３分の１に対して行うことを特徴とする請求項５に記載の詰替用液体袋を用いた液体取出方法。
【発明の詳細な説明】
【技術分野】
【０００１】
本発明は詰替用液体袋を用いた液体取出装置及び液体取出方法に関し、詳しくは可撓性の液体袋に充填された液体を吸引・注出するエアレスタイプの液体の取出装置及び取出方法に関する。
【背景技術】
【０００２】
可撓性を有する液体袋に充填された液体をポンプ手段により吸引・注出するに従って前記液体袋内の負圧化に伴って収縮（縮小）していく構成のエアレスタイプの液体取出装置では、使用開始の時点（図９（Ａ）参照）では液体の吸引・注出を問題なく行うことができるが、液体残量が少なくなってくると吸引管の吸引口に液体袋の内壁部が徐々に吸い寄せられ（図９の（Ｂ）参照）、吸引口と液体とを連絡する通液路が絶たれてしまい（図９の（Ｃ）参照）、液体袋内の液体の全量の吸引・注出ができなくなることが多々ある。
【０００３】
かかる問題を解決するため、吸引管の長さを液体袋の底部付近まで伸ばす構成とすることにより液体袋の底部における液体の残留を防ぐことが行われているが、この場合、液体袋の底部の液体の吸引・注出は問題なく行えるようになるが、吸引管の根元部である液体袋の上部に液体が残留してしまうという問題が生じ易い。
【０００４】
そこで本発明者は、吸引管の上端近傍の側壁部分と下端近傍の側壁部分の各々に吸引孔を設ける構成によって、先ず上方の吸引孔から液体袋上部における吸引・注出を始め、この上方での吸引・注出により液体袋の上部が収縮して上方の吸引孔を閉塞した後は、下方の吸引孔から液体袋下部における吸引・注出を始めることにより、液体袋内の液体の吸引・注出が限界に達した際の液体残留を限りなく少なく抑制する技術を先に提案している（特許文献１参照）。
【先行技術文献】
【特許文献】
【０００５】
【特許文献１】特開２０１２−２４５９９３
【発明の概要】
【発明が解決しようとする課題】
【０００６】
本発明者は、当該技術について更に研究を続けたところ、より簡素な構成による液体の吸引・注出においても液体袋内の液体の吸引・注出が限界に達した際の液体残留を限りなく少ない量に抑制することができることを見出した。
【０００７】
そこで本発明の目的は、より簡素な構成により、吸引・注出力が高く、しかも充填液体の略全量を使い切ることができる詰替用液体袋を用いた液体取出装置及び液体取出方法を提供することにある。
【課題を解決するための手段】
【０００８】
上記課題を解決する本発明は、下記構成を有する。
【０００９】
１．液体を収納した詰替用液体袋と、該詰替用液体袋の上部に装着される液体の吸引・注出手段であるポンプ体と、該ポンプ体の吸引部に連通状態で取り付けられると共に前記詰替用液体袋の内部に挿通配設される吸引管と、を有して成り、
前記ポンプ体の動作によって前記詰替用液体袋内の液体を吸引・注出するに従って、前記詰替用液体袋内の負圧化に伴って収縮（縮小）していく構成（但し、負圧化に伴って底面が高さ方向に上昇して収縮するボトル構成は除く。）のエアレスタイプの液体取出装置において、
前記吸引管は、その先端部及び全体が前記詰替用液体袋の略中央部より上方に配設されており、
前記詰替用液体袋は、少なくとも対向する両側の２辺にヒートシールによる封止部が設けられた合成樹脂製の袋体であり、
更に、前記詰替用液体袋は、上部の１辺にヒートシールによる上封止部が設けられ、該上封止部に前記ポンプ体が直接取付けられるか、又は該上封止部に取り付けられたポンプ体被取付部を介して取付けられる構成（但し、上封止部に取付けられたポンプ体、又はポンプ体被取付部が、詰替用液体袋の内部側に押し込まれた状態となる構成を除く。）により該詰替用液体袋の最大充填量まで液体を充填可能であり、
且つ液体の吸引・注出に際して、該詰替用液体袋の水平方向断面形状が略正三角形・略正方形を含む略正多角形乃至略円形のいずれかの形状に近似するように、該詰替用液体袋の対向する２辺の封止部に対して外側方向から押圧し、この押圧を維持した状態で前記ポンプ体の動作を行うことにより、前記詰替用液体袋の対向する両側の２辺の封止部以外について押圧することなく、充填されている液体の略全量の吸引・注出が可能となる構成であること、
を特徴とする詰替用液体袋を用いた液体取出装置。
【００１０】
２．前記２辺の封止部に対する外側方向からの押圧が、前記詰替用液体袋の少なくとも下部３分の１に対して行われる構成であることを特徴とする上記１に記載の詰替用液体袋を用いた液体取出装置。
【００１２】
３．前記詰替用液体袋は、下部にマチ付き底部を有する構成であることであることを特徴とする上記１又は２に記載の詰替用液体袋を用いた液体取出装置。
【００１３】
４．前記詰替用液体袋は、載置台に載置した状態、又はケース体に収納した状態で使用する構成であり、
該載置台又はケース体には、載置又は収納したときに前記詰替用液体袋の対向する２辺の封止部に対して外側方向から押圧する押圧部が設けられていること、
を特徴とする上記１〜３のいずれかに記載の詰替用液体袋を用いた液体取出装置。
【００１４】
５．液体を収納した詰替用液体袋と、該詰替用液体袋の上部に装着される液体の吸引・注出手段であるポンプ体と、該ポンプ体の吸引部に連通状態で取り付けられると共に前記詰替用液体袋の内部に挿通配設される吸引管と、を有し、
前記ポンプ体の動作によって前記詰替用液体袋内の液体を吸引・注出するに従って、前記詰替用液体袋内の負圧化に伴って収縮（縮小）していく（但し、負圧化に伴って底面が高さ方向に上昇して収縮していくボトル構成は除く。）、液体取出方法において、
前記吸引管は、その先端部及び全体が前記詰替用液体袋の略中央部より上方に配設されており、
前記詰替用液体袋は、少なくとも対向する両側の２辺にヒートシールによる封止部が設けられた合成樹脂製の袋体であり、
更に、前記詰替用液体袋は、上部の１辺にヒートシールによる上封止部が設けられ、該上封止部に前記ポンプ体が直接取付けられるか、又は該上封止部に取り付けられたポンプ体被取付部を介して取付けられる構成（但し、上封止部に取付けられたポンプ体、又はポンプ体被取付部が、詰替用液体袋の内部側に押し込まれた状態となる構成を除く。）により該詰替用液体袋の最大充填量まで液体を充填可能であり、
且つ液体の吸引・注出に際して、該詰替用液体袋の水平方向断面形状が略正三角形・略正方形を含む略正多角形乃至は略円形のいずれかの形状に近似するように、該詰替用液体袋の対向する２辺の封止部に対して外側方向から押圧し、この押圧を維持した状態で前記ポンプ体の動作を行うことにより、前記詰替用液体袋の対向する両側の２辺の封止部以外について押圧することなく、前記詰替用液体袋内の液体の吸引・注出が限界に達するまで該詰替用液体袋内の通液路を確保して液体残留を限りなく少なく抑制することを特徴とする詰替用液体袋を用いた液体取出方法。
【００１５】
６．前記２辺の封止部に対する外側方向からの押圧が、前記詰替用液体袋の少なくとも下部３分の１に対して行うことを特徴とする上記５に記載の詰替用液体袋を用いた液体取出方法。
【発明の効果】
【００１６】
請求項１又は６に示す発明によれば、より簡素な構成により、吸引・注出力が高く、しかも充填液体の略全量を使い切ることができる詰替用液体袋を用いた液体取出装置又は液体取出方法を提供することができる。
【００１７】
特に、液体が未充填の時に扁平である両側ヒートシール構成の詰替用液体袋の場合、液体の残量が少なくなるにしたがって液体袋が未充填時の形状である扁平状に戻ろうとする特性を有することによって液体残量の減少に応じて段々と内壁部同士がくっ付いていき通液路が閉塞されてしまうが、本構成によれば、液体残量の減少に応じて詰替用液体袋が扁平状に戻るのが抑制され水平方向断面形状（略正三角形・略正方形を含む略正多角形乃至は略円形のいずれかの形状）を維持しようとしたまま略全周方向から潰れるように細くなっていき、この潰れていく過程において通水路が幾筋も発生する状態となり易いので、通液路が閉塞されることなく充填されている液体の略全量の吸引・抽出が可能となる。
【００１８】
また、吸引管が詰替用液体袋の中央より上方に配設される長さであるため、吸引・抽出に際しては、該吸引管の根元部である詰替用液体袋の上部に液体が残留することがなく、吸引・抽出が可能となる。
更に、液体取出装置の製造に際しては、吸引管の金型の小型化及び使用原材料の少量化等により吸引管の製造コストを下げることができる。
【００１９】
尚、詰替用液体袋の底部付近まで吸引管を伸ばす構成のものでは、詰替用液体袋の長さに応じた長さの吸引管を製造用意しなければならないが、本発明に用いる吸引管によれば、詰替用液体袋の略中央部より上方に配設される長さであればよいので、様々な長さの液体袋に対応することができる。
尚また、吸引管が詰替用液体袋の略中央部より下方にまで進出する長さとなって本発明の範囲外とはなるが、より長さの短い小容量タイプの詰替用液体袋に用いる吸引管としても利用することができるので、様々な容量の液体取出装置を製造する場合の総合的な製造コストを下げることが可能となる。
尚また更に、詰替用液体袋の対向する両側の２辺の封止部以外については押圧しなくてもよいので、液体取出装置のデザインを特別な制限無く自由に且つ多様に構成することができる。
【００２０】
請求項２又は７に示す発明によれば、押圧する必要のない詰替用液体袋の上部３分の２については、該詰替用液体袋や液体取出装置のデザインを特別な制限無く自由に且つ多様に構成することができる。
【００２１】
請求項３に示す発明によれば、詰替用液体袋の未充填時の形状がより扁平状である、上部の１辺についてもヒートシールによる封止部を有する場合であっても、通液路が閉塞されることなく充填されている液体の略全量の吸引・抽出が可能となる。
【００２２】
請求項４に示す発明によれば、詰替用液体袋内の液体が減少するに従って下部に残留し易くなるマチ付き底部を有する場合であっても、通液路が閉塞されることなく充填されている液体の略全量の吸引・抽出が可能となる。
【００２３】
請求項５に示す発明によれば、詰替用液体袋を、載置台に載置又はケース体に収納することにより２辺の封止部に対する押圧を維持することができるので、液体の略全量の吸引・注出が完了するまで通液路が閉鎖されることがない。
【図面の簡単な説明】
【００２４】
【図１】本発明に係る詰替用液体袋を用いた液体取出装置の一実施例を示す構成説明図
【図２】図１の液体取出装置に用いた詰替用液体袋の未充填状態を示す正面図及び側面図
【図３】図１の液体取出装置に用いた詰替用液体袋の満充填状態を示す正面図及び側面図
【図４】図３の満充填状態の詰替用液体袋の水平方向断面形状の一例を示す概略端面図（図３のＩＶ−ＩＶ線端面図）
【図５】本発明に用いる載置台の一例を示す斜視図
【図６】図３の満充填状態の詰替用液体袋の水平方向断面形状の他の例を示す概略端面図
【図７】本発明に用いる載置台の他の例を示す斜視図
【図８】本発明に用いるケース体の一例を示す斜視図
【図９】従来の液体取出装置による液体の吸引・注出時の問題点を示す説明図
【発明を実施するための形態】
【００２５】
本発明に係る詰替用液体袋を用いた液体取出装置及び液体取出方法（以下、単に「液体取出装置」、「液体取出方法」ということもある。）について図面に基づき詳細に説明する。
【００２６】
本発明は、シャンプー、コンディショナー、トリートメント、その他の頭髪用品をはじめ、液状石鹸、化粧液、歯磨き、ソース、マヨネーズ、食用油、機械油、その他の各種液体（ゲル状或いはゼリー状等の高粘度液体を含む）が充填された液体袋から前記液体をポンプ体によって吸引・注出するに従って、前記詰替用液体袋内の負圧化に伴って収縮（縮小）していく構成のエアレスタイプの液体取出装置である。液体袋内の液体の吸引・注出によって空になった後は、満充填された新規の詰替用液体袋に交換して使い続けることができる構成である。
【００２７】
以下、本発明の液体取出装置の実施例について、図１〜図４に基づき説明する。
【００２８】
先ず、図１に示すように、本発明の液体取出装置１は、液体を収納した詰替用液体袋２と、該詰替用液体袋２の上部に装着される液体の吸引・注出手段であるポンプ体３と、該ポンプ体３の吸引部に連通状態で取り付けられると共に前記詰替用液体袋２の内部に挿通配設される吸引管４と、を有して成り、
前記ポンプ体３の動作によって前記詰替用液体袋２内の液体５を吸引・注出するに従って、図１（Ａ）から（Ｄ）に示すように、前記詰替用液体袋２内の負圧化に伴って収縮（縮小）していくエアレスタイプ構成を有し、
前記吸引管４は、その先端部４１及び全体が前記詰替用液体袋２の略中央部より上方に配設されており、
前記詰替用液体袋２は、少なくとも対向する両側の２辺にヒートシールによる封止部２１・２２が設けられた合成樹脂製の袋体であり、
且つ液体５の吸引・注出に際して、該詰替用液体袋２の水平方向断面形状が略正三角形・略正方形を含む略正多角形乃至略円形のいずれかの形状（本実施例では、図４に示す略円形）に近似するように、該詰替用液体袋２の対向する２辺の封止部２１・２２に対して外側方向から押圧し、この押圧を維持した状態で前記ポンプ体３の動作を行う構成である。
【００２９】
２辺の封止部２１・２２に対する外側方向からの押圧は、図３（Ａ）に符号Ｙ（Ｙ１〜Ｙ４）として示す。
この２辺の封止部２１・２２に対する押圧の領域としては、詰替用液体袋２の少なくとも下部３分の１の位置（図３（Ａ）の仮想線Ｘ２の位置）までに対して行われる押圧（同図の矢符Ｙ４及びＹ３）であれば好ましく、詰替用液体袋２の略中央部の位置（同図の仮想線Ｘ１の位置）までに対して行われる押圧（同図の矢符Ｙ４・Ｙ３・Ｙ２）であればより好ましい。
尚、この押圧は、吸引管４の先端部４１の位置での押圧である矢符Ｙ１での押圧を上限とし、これより上方での押圧は行っても行わなくてもよい。
【００３０】
上記の図１に示す押圧（符号Ｙ１〜Ｙ４）によって、詰替用液体袋２の水平方向断面形状を図４に示す略円形の形状に近似させる。
【００３１】
詰替用液体袋２の水平方向断面形状を図４に示す略円形の形状に近似させるために、２辺の封止部２１・２２に対する押圧を行う構成部材である押圧部１１・１２は、前記封止部２１・２２の各々を平面視した際に円弧状の押圧面を有する構成によって押圧することが好ましく、例えば図５に示すように平面視した際に円弧状に形成された押圧部１１・１２を有する載置台１０を用いることで可能となる。該載置台１０に詰替用液体袋２を載置するには、押圧部１１・１２に２辺の封止部２１・２２が押圧状態で当接するように詰替用液体袋２を収納載置し、該詰替用液体袋２の上部のポンプ体３を載置台１０のポンプ体係止部１３に係止することによりセット完了となる。
【００３２】
尚、図５に示す載置台１０の押圧部１１・１２の高さは、詰替用液体袋２の２辺の封止部２１・２２の下部３分の１を押圧に充分な高さを有しているが、２辺の封止部２１・２２の略中央部までを押圧可能な高さとしてもよいし、吸引管４の先端部４１の高さ位置までを押圧可能な高さとしてもよいし、２辺の封止部２１・２２の全てを押圧可能な高さとしてもよい。
【００３３】
次に、詰替用液体袋２について更に詳説すると、少なくとも両側の２辺がヒートシールされた封止部２１・２２を有する構成であればよいが、好ましくは本実施例に示すように、上部の１辺についてもヒートシールによる上封止部２３を有し、下部にマチ付き底部２４を有する構成である。また、上封止部２３には、前記ポンプ体３が直接取付けられることが好ましく、該ポンプ体３の取付けは、上封止部２３と共に熱溶着によって直接取り付けられる構成でもよいし、上封止部２３に取り付けたポンプ体被取付部３１等を介して取付けられる構成でもよい。ポンプ体被取付部３１等へのポンプ体４の取付構成としては、螺合、圧入、接着、溶着等の公知公用の様々な取付構成を挙げることができる。
【００３４】
更に、詰替用液体袋２としては、この種のエアレスタイプに用いられる袋体として公知公用のものを特別の制限無く用いることができ、例えば、ポリプロピレンフィルム、ポリエチレンフィルム、ナイロンフィルム等のフィルム単層体、或いはこれら複数のフィルム積層体から成る酸素透過抑制積層フィルム等による袋体を挙げることができる。
【００３５】
ポンプ体３としては、この種のエアレスタイプの液体取出装置に用いられる公知公用のポンプを特別の制限なく用いることができ、上部の押下部を押込操作することで吸引管４並びにポンプ動作部内のピストン・シリンダ内を通って詰替用液体袋２内の液体を吐出口から吐出することができる。尚、ポンプ体３のポンプ構成については、この種の液体取出装置に用いられる一般的なポンプ構成であるため、本明細書ではポンプ体３のポンプ機構についての説明は省略する。
【００３６】
以上の構成を有する本発明の液体取出装置１によれば、液体が未充填の時に扁平である両側ヒートシール構成の詰替用液体袋の場合、液体の残量が少なくなるにしたがって液体袋が未充填時の形状である扁平状（図２（Ｂ）参照）に戻ろうとするのを抑制され水平方向断面形状（略正三角形・略正方形を含む略正多角形乃至は略円形のいずれかの形状）を維持しようとしたまま略全周方向から潰れるように細くなっていき、図１（Ｃ）及び（Ｄ）に示すように、この潰れていく過程において通水路が幾筋も発生する状態（図１の（Ｄ）参照）となり易いので、通液路が閉塞されることなく充填されている液体５の略全量の吸引・抽出が可能となる。
【００３７】
また、吸引管４が詰替用液体袋２の中央より上方に配設される長さであるため、吸引・抽出に際しては、図１（Ｂ）〜（Ｄ）に示すように該吸引管４の根元部である詰替用液体袋２の上部に液体５が残留することがなく、吸引・抽出が可能となる。
【００３８】
以上、本発明に係る詰替用液体袋を用いた液体取出装置及び液体取出方法について実施例に基づき説明したが、本発明は上記実施例に限定されず、本発明の範囲内において他の態様を採ることもできる。
【００３９】
例えば、詰替用液体袋２の水平断面形状は、上記実施例の図４に示す略円形の形状に限らず、略正三角形・略正方形を含む略正多角形に近似する形状であってもよい。略正多角形の一例として図６に略正方形の場合の詰替用液体袋２の水平断面形状の一例を示す。
【００４０】
詰替用液体袋２の水平方向断面形状を図６に示す略正方形の形状に近似させる場合に好ましく用いられる載置台の一例を図７に示す。詰替用液体袋２の２辺の封止部２１・２２に対する押圧を行う構成部材である押圧部１１・１２は、前記封止部２１・２２の各々を平面視した際に直線状の押圧面を有する構成によって押圧することが好ましいため、平面視した際に平行する２辺の直線状に形成された押圧部１１・１２を有する載置台１０を用いることで可能となる。該載置台１０に詰替用液体袋２を載置するには、押圧部１１・１２に２辺の封止部２１・２２が押圧状態で当接するように詰替用液体袋２を収納載置し、該詰替用液体袋２の上部のポンプ体３を載置台１０のポンプ体係止部１３に係止することによりセット完了となる。
【００４１】
上記したような水平方向断面形状を図６に示す略正方形の形状に近似させる場合、図７に示す載置台１０以外に、例えば、図８に示す角柱箱体形状のケース体１０を用いることもできる。図８に示すケース体１０の場合、詰替用液体袋２をセットする開放面を利用時には背面として設置することにより該ケース体１０に詰替用液体袋２を被露出状態で収納することができる。従って、該ケース体１０に種々の模様や色彩等を施すことにより審美性の高い液体取出装置１を得ることができる。
【００４２】
また、詰替用液体袋２は、両側の２辺がヒートシールされた封止部２１・２２を有する構成であればよいが、この両側の２辺の一方又は両方がマチ付きである所謂ガゼット付き液体袋である構成も本発明に包含することができるし、両側の２辺がマチ付きで上部及び／又は下部についてもマチ付きである構成、両側と上部と下部の４辺全てがマチの無いヒートシールのみである構成、上部のみがマチ付きである構成、上部と下部の両方がマチ付きである構成等の種々の構成についても本発明に含む。
【符号の説明】
【００４３】
１  液体取出装置
１０  載置台又はケース体
１１  押圧部
１２  押圧部
１３  ポンプ体係止部
２  詰替用液体袋
２１  封止部
２２  封止部
２３  上封止部
２４  マチ付き底部
３  ポンプ体
３１  ポンプ体被取付部
４  吸引管
４１  先端部
５  液体
【図１】
0006599145.tif 000002
【図２】
0006599145.tif 000003
【図３】
0006599145.tif 000004
【図４】
0006599145.tif 000005
【図５】
0006599145.tif 000006
【図６】
0006599145.tif 000007
【図７】
0006599145.tif 000008
【図８】
0006599145.tif 000009
【図９】
0006599145.tif 000010